(57)【要約】【課題】カム溝と、該カム溝に沿って摺動可能な固定カムと回転カムとで構成された繰出機構を有した繰出式筆記具において、筆記体の筆記先端部を軸筒の先端開口部から突出した状態から没入させる時の操作体の操作量を、筆記体の筆記先端部を軸筒の先端開口部から突出させる時の操作体の操作量より大きくなるようにする。【解決手段】カム溝３を構成する、筆記体の筆記先端部を軸筒の先端開口部より突出する際に回転カム１４のカム突起１３の傾斜壁面１５が摺動する第１カム突片１６−１の傾斜壁面１７−１の軸心方向における位置を、筆記体の筆記先端部が軸筒の先端開口部より突出した状態から没入する際に、カム突起１３の傾斜壁面１５が摺動する第２カム突片１６−２の傾斜壁面１７−２の軸心方向における位置より軸筒の先端開口部と反対の後方側に位置するように、第１カム突片１６−１と第２カム突片１６−２を設ける。【選択図】図２
2011224843.tif 000002
【特許請求の範囲】
【請求項１】
本発明の目的は、軸筒内に、カム溝に沿って摺動可能な固定カムと回転カムを配設し、操作体を軸筒の先端開口部側の前方に押圧またはスライドすることにより固定カムおよび回転カムを前方に摺動し、回転カムが、該回転カムに設けたカム突起に形成した傾斜壁面がカム溝を構成する軸心方向に延びた内方に突出したカム突片の先端に形成した傾斜壁面を摺動して回転し、カム突起をカム突片の先端に形成した係止部に係止することで、軸筒内に収容した筆記体の筆記先端部を軸筒の先端開口部より突出した状態を維持してなる繰出式筆記具において、前記カム突片の、筆記体の筆記先端部を軸筒の先端開口部より突出する際に回転カムのカム突起が摺動して前記係止部に係止する際にカム突起の傾斜壁面が摺動する第１カム突片の傾斜壁面の軸心方向における位置を、筆記体の筆記先端部が軸筒の先端開口部より突出した状態から没入する際に、カム突起が前記係止部より離間してカム突起の傾斜壁面が摺動する第２カム突片の傾斜壁面の軸心方向における位置より軸筒の先端開口部と反対の後方側に位置するように、第１カム突片と第２カム突片を設けたことを特徴とする繰出式筆記具。
【請求項２】
前記第２カム突片の傾斜壁面の軸心方向における位置を、前記操作体の前方への移動可能範囲の最長距離移動した際に、回転カムのカム突起の傾斜壁面が第２カム突片の傾斜壁面を摺動するように設けた、請求項１に記載の繰出式筆記具。
【発明の詳細な説明】
【技術分野】
【０００１】
本発明は、カム溝と、該カム溝に沿って摺動可能な固定カムと回転カムとで構成された繰出機構を有し、操作体を軸筒の先端開口部側の前方に押圧またはスライドすることで、軸筒内に収容した筆記体の筆記先端部を軸筒の先端開口部より出没する繰出式筆記具に関する。
【背景技術】
【０００２】
繰出式筆記具としては、操作体としての軸筒の後端より一部を突出させて配したノブを軸筒の先端開口部側の前方に押圧することにより、軸筒内に設けたカム溝と、該カム溝に沿って摺動可能な固定カムと回転カムとで構成された繰出機構により、軸筒内に収容した筆記体の筆記先端部を軸筒の先端開口部より出没する、いわゆるノック式と呼ばれているものや、操作体としの、固定カムに連結した、軸筒のグリップ部の側面より突出し軸心方向にスライド可能に配したスライド片を、軸筒の先端開口部側の前方にスライドすることにより、軸筒内に収容した筆記体の筆記先端部を軸筒の先端開口部より出没する押出式の構造のものが知られている。
【０００３】
従来の繰出機構について、図１、図４および図５を用いて具具体的に説明するが、便宜上、ノック式の筆記具として説明する。図に示すノック式の筆記具１は、軸筒２は前軸と２ａと後軸２ｂを着脱自在に螺着して構成してあり、後軸２ｂの内壁面に、軸心方向に沿って延びた軸径方向の深さが深いカム溝３−１と浅いカム溝３−２とを周状に交互に順次形成したカム溝３を形成してある。カム溝３を構成する軸心方向に延びたカム突片１６の先端は傾斜壁面１７に形成してある。
【０００４】
先端に山型状の凹凸部４と外周面に複数の突起５を周状に有した固定カム６は、後端を後軸２ｂの後端より突出させて後軸２ｂ内に設けてあり、ノブ９を後端部に着脱自在に嵌着して連接してある。中には、固定カムとノブを一体に形成した構造のものもある。
【０００５】
固定カム７は、全ての突起５を深いカム溝３−１と浅いカム溝３−２に各々に係合して、カム溝３に沿って前後に摺動可能に配してある。回転カム１４は、図示してないが、深いカム溝３−１に係合する軸心方向に延びた複数のカム突起１３を外周面に周状に設けてあり、カム突起１３の後端を前記カム突片１６の傾斜壁面１７に当接する傾斜壁面１５としてある（図５を参照）。回転カム１４の後端は、固定カム９の凹凸部４に噛合う山型状の凹凸部１２に形成してあり、回転カム１４のカム突起１３を深いカム溝３−１に係合した際に、図示していないが、固定カム６の凹凸部４の頂部と回転カム１４の凹凸部１２の頂部が互いの山型状を構成する傾斜壁面の中間位の位置で当接するようにしてある。
【０００６】
なお、回転カム１４のカム突起１３が係合して摺動できないように、浅いカム溝３−２の底部１８にカム突起１３が衝接するようにしてあり、前記底部１８の先端も傾斜壁面１９としてある（図５を参照）。こうした構造により浅いカム溝３−２の先端は、カム突起１３が係止可能な係止部２０としてある。
【０００７】
動作について簡単に説明すると、ノブ９を軸筒２の先端開口部（図示せず）側に押圧すると、固定カム６は深いカム溝３−１と浅いカム溝３−２に係合した突起５に導かれて前進し、固定カム６に連動して回転カム１４は深いカム溝３−１に係合したカム突起１３により回転することなく前進する。カム突起１３がカム突片１６−１の先端に達してカム溝３−１から離脱すると、前記したように固定カム６の凹凸部４の頂部は回転カム１４の凹凸部１２の傾斜壁面の途中に当接しており（図示せず）、かつコイルスプリング２８により後方へ付勢されているので、回転カム１４は後方へ後退しようとして回転（図５において、上側から下側）する。それにともない、回転カム１４のカム突起１３の傾斜壁面１５は、カム突片１６−１の先端の傾斜壁面１７−１に当接して滑り、浅いカム溝３−２に対向した位置に位置するが、カム突起１３の傾斜壁面１５が浅いカム溝３−２の底部１８に衝接し、浅いカム溝３−２に係合せずにカム突起１３は係止部２０に係止する。その結果、回転カム１４および筆記体はそれ以上後退することができず、筆記体の筆記先端部は、軸筒２の先端開口部より突出した状態で維持される（図示せず）。
【０００８】
なお、従来のこうした構造の繰出式筆記具においては、特開２００３−３０５９９０号公報に見られるように、深いカム溝３−１を構成する筆記体の筆記先端部を軸筒の先端開口部より突出する際に回転カム１４のカム突起１３が摺動して係止部２０に係止する際にカム突起１３の傾斜壁面１５が摺動する第１カム突片１６−１の傾斜壁面１７−１と、浅い溝３−２を構成する筆記体の筆記先端部が軸筒の先端開口部から突出した状態から没入する際に回転カム１４のカム突起１３が係止部２０より離間してカム突起１３の傾斜壁面１５が摺動する第２カム突片１６−２の傾斜壁面１７−２の軸心方向の位置を略同じにして、筆記体の筆記先端部を軸筒の先端開口部より出没させる際のノブ９の押圧のストローク量を同じにしている。
【０００９】
ところで、こうした構造のシャープペンシルにおいて、ノブを押圧することにより、軸筒の先端開口部から筆記先端の先部材材を突出し、ノブを少ないストローク量で押圧(小ノック操作）することにより鉛芯を繰出すいわゆるダブルノック式と呼ばれている構造のものが、特開２００９−１９６１４８号公報等により知られている。ダブルノック構造では、鉛芯を繰出す際には、前記回転カムのカム突起をカム突片で構成した係止部に係止した状態でノブを小ノック操作することになる。当然に小ノック操作の際には回転カムが係止部を前方への摺動が可能となり、小ノック操作の力加減（ノブのストローク量）よっては、前記カム突起が係止部より離脱してしまい、筆記先端の先部材材が軸筒の先端開口部に没入してしまうという問題があった。
【先行技術文献】
【特許文献】
【００１０】
【特許文献１】特開２００３−３０５９９０号公報
【特許文献２】特開２００９−１９６１４８号公報
【発明の概要】
【発明が解決しようとする課題】
【００１１】
本発明の目的は、軸筒内に、カム溝に沿って摺動可能な固定カムと回転カムを配設し、操作体を軸筒の先端開口部側の前方に押圧またはスライドすることにより固定カムおよび回転カムを前方に摺動し、回転カムが、該回転カムに設けたカム突起に形成した傾斜壁面がカム溝を構成する軸心方向に延びた内方に突出したカム突片の先端に形成した傾斜壁面を摺動して回転し、カム突起をカム突片の先端に形成した係止部に係止することで、軸筒内に収容した筆記体の筆記先端部を軸筒の先端開口部より突出した状態を維持してなる繰出式筆記具において、例えば、ダブルノック式のシャープペンシル等の構造として、筆記先端の先部材を軸筒の先端開口部から突出した状態で、鉛芯を繰出す際のノブ（操作体）の小ノック操作時に誤って力が入り、ノック量（操作体のストローク量）が僅かに多くなってしまっても、回転カムのカム突起が係止部から容易に離脱して筆記先端の先部材材が軸筒の先端開口部に没入しないように、筆記体の筆記先端部を軸筒の先端開口部から突出した状態から没入させる時の操作体の操作量を、筆記体の筆記先端部を軸筒の先端開口部から突出させる時の操作体の操作量より大きくなるようにした繰出式筆記具を得ることにある。
【課題を解決するための手段】
【００１２】
本発明は、
「１．本発明の目的は、軸筒内に、カム溝に沿って摺動可能な固定カムと回転カムを配設し、操作体を軸筒の先端開口部側の前方に押圧またはスライドすることにより固定カムおよび回転カムを前方に摺動し、回転カムが、該回転カムに設けたカム突起に形成した傾斜壁面がカム溝を構成する軸心方向に延びた内方に突出したカム突片の先端に形成した傾斜壁面を摺動して回転し、カム突起をカム突片の先端に形成した係止部に係止することで、軸筒内に収容した筆記体の筆記先端部を軸筒の先端開口部より突出した状態を維持してなる繰出式筆記具において、前記カム突片の、筆記体の筆記先端部を軸筒の先端開口部より突出する際に回転カムのカム突起が摺動して前記係止部に係止する際にカム突起の傾斜壁面が摺動する第１カム突片の傾斜壁面の軸心方向における位置を、筆記体の筆記先端部が軸筒の先端開口部より突出した状態から没入する際に、カム突起が前記係止部より離間してカム突起の傾斜壁面が摺動する第２カム突片の傾斜壁面の軸心方向における位置より軸筒の先端開口部と反対の後方側に位置するように、第１カム突片と第２カム突片を設けたことを特徴とする繰出式筆記具。
２．前記第２カム突片の傾斜壁面の軸心方向における位置を、前記操作体の前方への移動可能範囲の最長距離移動した際に、回転カムのカム突起の傾斜壁面が第２カム突片の傾斜壁面を摺動するように設けた、前記１項に記載の繰出式筆記具。」
である。
【発明の効果】
【００１３】
本発明の押出筆記具は、筆記体の筆記先端部を軸筒の先端開口部から突出した状態から没入させる時の操作体の操作量を、筆記体の筆記先端部を軸筒の先端開口部から突出させる時の操作体の操作量より大きくしたので、例えば、ダブルノック式のシャープペンシル等のように、筆記先端の先部材材を軸筒の先端開口部から突出した状態で、鉛芯を繰出す際のノブ（操作体）の小ノック操作時に誤って力が入り、ノック量（操作体のストローク量）が若干多くなってしまっても、回転カムのカム突起が係止部から離脱して筆記先端の先部材が軸筒の先端開口部に没入することがない。
【００１４】
請求項２に係る発明とすることにより、操作体を前方へ移動可能範囲の最長距離移動した際に、筆記体の筆記先端部が軸筒の先端開口部に没入するので、筆記体の筆記先端部を軸筒の先端開口部から突出させるには、操作体の前方への移動可能範囲の最長距離の手前の移動距離で突出することになり、例えば、ダブルノック式のシャープペンシル等のように、筆記先端の先部材材を軸筒の先端開口部から突出した状態で、鉛芯を繰出す際のノブ（操作体）の小ノック動作時に、ノブを軸筒の後端面（ノブの移動可能範囲の最長距離）まで押圧しないように注意することができ、押圧するのに力が入り過ぎないように防止することが可能となる利点がある。
【図面の簡単な説明】
【００１５】
【図１】本発明の繰出式筆記具の実施例を示す、ノック式筆記具（シャープペンシル）の要部の縦断面図である。
【図２】図１における、カム溝を形成した軸筒の拡大断面図である。
【図３】図２におけるカム溝の部分を展開した概念図で、カム溝と回転カムのカム突起の位置関係を示し、（ａ）は、筆記体の筆記先端部が軸筒の先端開口部より突出する直前のカム溝とカム突起の位置関係を示し、（ｂ）は、筆記体の筆記先端部が軸筒の先端開口部に没入する直前のカム溝とカム突起の位置関係を示したものである。
【図４】従来のノック式筆記具における、カム溝を形成した軸筒の拡大断面図である。
【図５】図４におけるカム溝部分を展開した概念図で、カム溝と回転カムのカム突起の位置関係を示し、（ａ）は、筆記体の筆記先端部が軸筒の先端開口部より突出する直前のカム溝とカム突起の位置関係を示し、（ｂ）は、筆記体の筆記先端部が軸筒の先端開口部に没入する直前のカム溝とカム突起の位置関係を示したものである。
【発明を実施するための形態】
【００１６】
本発明の繰出式筆記具の実施例として、ノック式筆記具であるダブルノック式と呼ばれているシャープペンシルとして説明するが、これに限定されるものではない。操作体としての、固定カムに連結した軸筒のグリップ部の側面より突出し軸心方向にスライド可能に配したスライド片を、軸筒の先端開口部側の前方にスライドすることにより、ボールペンやシャープペンシルの筆記先端部を軸筒の先端開口部から出没させる構造でも良い。
【実施例】
【００１７】
本実施例のノック式筆記具（シャープペンシル）１は、図１〜図３に示すように、従来と同様に、軸筒２は前軸と２ａと後軸２ｂを着脱自在に螺着して構成してあり、後軸２ｂの内壁面にカム溝３を、軸心方向に沿って延びた軸径方向の深さが深いカム溝３−１と浅いカム溝３−２とを周状に交互に順次形成して設けてある（図２および図３を参照）。従来の構造に見られるように、先端に山型状の凹凸部４を有し外周面に各々のカム溝３に係合する複数の突起５を周状に有した固定カム筒６が、前記突起５を各々のカム溝３に係合して、カム溝３に沿って前後に摺動可能に配してある。固定カム６は、後端を後軸２ｂの後端より突出させて設けてある。なお、固定カム６の突起５は、図示していないが、凹凸部４の頂部の線上（一点鎖線上）に位置するように設けてある。
【００１８】
固定カム６の後端は、後軸２ｂの後端より外方に突出しており、後端部には消しゴム保持用孔７を設けて消しゴム８を挿着してある。固定カム６の後端部には、端部を後軸２ｂの後端より外方に突出したノブ９を着脱自在に嵌合して消しゴム８を被覆してある。固定カム６の消しゴム保持用孔７の前方（図１において左側方向）には鉛芯を収容する芯タンク１０の後端部を挿着する芯タンク保持用孔１１が形成してあり、芯タンク１０の後端を遊嵌して保持してある。
【００１９】
固定カム６の前方には、該固定カム６の凹凸部４に噛合う山型状の凹凸部１２と外周面に深いカム溝３−１に係合する複数のカム突起１３を周状に有した円筒状に形成した回転カム１４が、前記芯タンク１０を挿通させて、カム突起１３を深いカム溝３−１に係合して、該カム溝３−１に沿って前後に摺動可能に、互いの凹凸部４と凹凸部１２を噛合わせて配してある。カム突起１３の後端は、傾斜壁面１５に形成してある。
【００２０】
図３に示すように、従来と同様に、カム溝３を構成する軸心に沿った方向に延びた第１カム突片１６−１と第２カム突片１６−２の先端（図３において左側方向）は、カム突起１３の傾斜面１５と同じ傾斜角度とした傾斜壁面１７としてある。浅いカム溝３−２は、回転カム１４のカム突起１３が係合して摺動できないように浅いカム溝３−２の底部１８にカム突起１３が衝接するようにしてあり、底部１８の先端も前記傾斜壁面１７と同じ傾斜角度の傾斜壁面１９に形成して、前記カム突起１３が係止可能な係止部２０としてある。
【００２１】
図２および図３に示すように、筆記体の筆記先端部を軸筒の先端開口部より突出する際に回転カム１４のカム突起１３が摺動して前記係止部２０に係止する際にカム突起１３の傾斜壁面１５が摺動する第１カム突片１６−１の傾斜壁面１７−１の軸心方向における位置を、筆記体の筆記先端部が軸筒の先端開口部より突出した状態から没入する際に、カム突起１３が前記係止部２０より離間してカム突起１３の傾斜壁面１５が摺動する第２カム突片１６−２の傾斜壁面１７−２の軸心方向における位置より後方側（図において右側）に位置するように、かつ第２カム突片１６−２の傾斜壁面１７−２の軸心方向における位置を、ノブ９を押圧して押圧した指が後軸２ｂの後端に当接するまで押圧した際に、カム突起１３が前記係止部２０より離間してカム突起１３の傾斜壁面１５が第２カム突片１６−２の傾斜壁面１７−２を摺動するように、第１カム突片１６−１と第２カム突片１６−２を設けてある。
【００２２】
芯タンク１０の外周面と固定カム６と回転カム１４の内壁面との間には、円筒状の中子２１が芯タンク１０に対して遊嵌状態で装着してあり、中子２１と固定カム６との間に、かつ中子２１と回転カム１４との間に、各々にコイルスプリング２２、２３を張架して固定カム６と回転カム１４を後方に付勢してある。なお、固定カム６の外周面の対向した２箇所には軸心方向に延びた貫通孔２４が設けてあり、中子２１に形成した係止突起２５を前記貫通孔２４に係止してあり、中子２１が固定カム６より飛び出さないように配してある。また、回転カム１４のカム突起１３が浅いカム溝３−２の底部１８傾斜壁面１９で構成された係止部２０に係止した際に、回転カム１４の凹凸部１２と固定カム６の凹凸部４が離間して、鉛芯を繰出すためのノブ９の小ノック操作が可能としてある。また、中子２１の先端には、鍔部２６を設けて回転カム１４の内壁面に当接することで、回転カム１４が中子２１の先端から抜け出さないようにしてある。
【００２３】
回転カム１４の前方には、図示していないが、前端にチャック機構等を装着した外パイプ２７が、前軸２ａとの間にコイルスプリング２８を張架して後方に付勢し、後端を回転カム１４に当接して設けてある。
【００２４】
本実施例のシャープペンシル１は、ノブ９を押圧することにより、ノブ９に連動して固定カム６は深いカム溝３−１と浅いカム溝３−２に係合した突起５により回転することなく前方へ摺動し、固定カム６に押圧されて回転カム９も、深いカム溝３−１に係合したカム突起１３により回転することなく前方へ摺動する。前記したように、回転カム１４のカム突起１３がカム突片１６−１の先端に達してカム溝３−１から離脱すると、固定カム６の山型状の凹凸部４の頂部と回転カム１４の山型状の凹凸部１２の頂部は互いの傾斜壁面の中間位の位置で当接しており、かつ回転カム１４はコイルスプリング２３により後方へ付勢されているので回転し、回転カム１４のカム突起１３の傾斜壁面１５が第１カム突片１６−１の先端の傾斜壁面１７−１に当接して滑り、浅いカム溝３−２に対向した位置に摺動し、カム溝３−２の底部１８に衝接し、カム溝３−２に係合せずにカム突起１３は係止部２０に係止する。その結果、回転カム１４および外パイプ２６は後退することなく、シャープペンシルの筆記先端部は、軸筒２の先端開口部より突出した状態で維持される。
【００２５】
その状態時においては、図示してないが、中子２１と固定カム６との間に張架したコイルスプリング２２により、固定カム６およびノブ９は後退するので、ノブ９を押圧可能となり、ノブ９を押圧することで芯タンク１０を押圧して鉛芯を繰出すことができる。その際、第２カム突片１６−２の傾斜壁面１７−２の軸心方向における位置は、第１カム突片１６−１の傾斜壁面１７−１の軸心方向における位置より前方にＬの距離だけ離間しているので、前記ノブ９の押圧により、回転カム１４のカム突起１３が前記係止部２０より離間して第２カム突片１６−２の傾斜壁面１７−２の前方縁部２９を乗越えることがなく、回転カム１４が後退してシャープペンシルの筆記先端部が軸筒の先端開口部に没入してしまうことが起こりにくい。
【００２６】
シャープペンシルの筆記先端部が軸筒の先端開口部に没入するには、ノブ９を、該ノブ９を押圧する指（図示せず）を後軸２ｂの後端に当接するまで押圧すると、回転カム１４のカム突起１３が前記係止部２０より離間して第２カム突片１６−２の傾斜壁面１７−２の前方縁部２９を乗越え、カム突起１３の傾斜壁面１５が第２カム突片１６−２の傾斜壁面１７−２を摺動して深いカム溝３−１に係合し、回転カム１４が後退してシャープペンシルの筆記先端部が軸筒の先端開口部に没入する。なお、第１カム突片１６−１の傾斜壁面１７−１の前方縁部３０の軸心方向の位置は、回転カム１４のカム突起１３の傾斜壁面１５が第２カム突片１６−２の傾斜壁面１７−２を摺動して、カム突起１３が少なくとも第１カム突片１６−１に当接して、カム突起１３が深いカム溝３−１に係合するような位置としてある。
【産業上の利用可能性】
【００２７】
繰出式筆記具において、筆記体の筆記先端部を軸筒の先端開口部から突出させる時と、筆記体の筆記先端部を軸筒の先端開口部に没入させる時の、操作体の操作量に差をつけたい時に利用可能である。
【符号の説明】
【００２８】
１  シャープペンシル（繰出式筆記具）
２  軸筒
２ａ  前軸
２ｂ  後軸
３  カム溝
３−１  深いカム溝
３−２  浅いカム溝
６  固定カム
１３  カム突起
１４  回転カム
１５  傾斜壁面
１６−１  第１カム突片
１６−２  第２カム突片
１７  傾斜壁面
２０  係止部
【図１】
2011224843.tif 000003
【図２】
2011224843.tif 000004
【図３】
2011224843.tif 000005
【図４】
2011224843.tif 000006
【図５】
2011224843.tif 000007